(57)【要約】【課題】検索結果等の情報提供を受ける利用者が複数の場合にどの利用者に対して提供された情報であるかを容易に判断可能にする「情報処理装置」を提供する。【解決手段】入力部への検索入力に対して所定の登録利用者に関する登録利用者情報に合致する検索結果を提供する情報処理装置であって、前記検索入力に対して前記登録利用者情報に合致する検索を行う合致情報検索手段と、該合致情報検索手段により検索された前記検索結果について、前記登録利用者情報との合致度を算出する合致度算出手段と、該合致度算出手段により算出された前記登録利用者情報との前記合致度を前記検索結果と共に提供する検索結果提供手段と、を有するとなる。【選択図】図２
2016207009.tif 000002
【特許請求の範囲】
【請求項１】
入力部への検索入力に対して所定の登録利用者に関する登録利用者情報に合致する検索結果を提供する情報処理装置であって、
前記検索入力に対して前記登録利用者情報に合致する検索を行う合致情報検索手段と、
該合致情報検索手段により検索された合致する前記検索結果について、前記登録利用者情報との合致度を算出する合致度算出手段と、
該合致度算出手段により算出された前記登録利用者情報との前記合致度を前記検索結果と共に提供する検索結果提供手段と、を有する情報処理装置。
【請求項２】
前記登録利用者情報を前記登録利用者の少なくとも嗜好及び行動記録の何れかを含む蓄積情報として記憶部に記憶させる記憶制御手段と、
該記憶制御手段により記憶させる前記登録利用者情報を、前記登録利用者の携帯端末による通信又は前記登録利用者による前記入力部からの入力により取得する登録利用者情報取得手段と、を有する請求項１に記載の情報処理装置。
【請求項３】
前記登録利用者情報取得手段は、前記登録利用者情報を前記登録利用者の携帯端末による通信により所定期間経過毎に取得し又は登録利用者による前記入力部からの入力毎に取得し、前記記憶制御手段は、前記取得された前記登録利用者情報を前記記憶部に記憶させて更新する請求項２に記載の情報処理装置。
【請求項４】
前記検索結果提供手段は、前記登録利用者情報との前記合致度を前記検索結果と共に表示部に表示する表示制御手段を有する請求項１乃至３のいずれかに記載の情報処理装置。
【請求項５】
前記合致度算出手段は、前記合致情報検索手段により検索された前記検索結果が複数の登録利用者の登録利用者情報に合致するときは、前記複数の登録利用者情報との合致度を算出し、前記検索結果提供手段は、前記合致度算出手段により算出された前記複数の登録利用者情報との前記合致度を前記検索結果と共に提供する請求項１乃至４のいずれかに記載の情報処理装置。
【請求項６】
前記合致度算出手段は、前記検索結果と前記登録利用者情報との合致する度合いに応じて合致度を算出する請求項１乃至５のいずれかに記載の情報処理装置。
【請求項７】
入力部への検索入力に対して所定の登録利用者に関する利用者情報に合致する検索結果を提供する情報処理装置での処理をコンピュータにて実行させるプログラムあって、
前記検索入力に対して前記登録利用者情報に合致する検索を行う合致情報検索ステップと、
該合致情報検索ステップにより検索された合致する前記検索結果について、前記登録利用者情報との合致度を算出する合致度算出ステップと、
該合致度算出ステップにより算出された前記登録利用者情報との前記合致度を前記検索結果と共に提供する検索結果提供ステップと、を前記コンピュータに実行させるプログラム。
【請求項８】
前記登録利用者情報を前記登録利用者の少なくとも嗜好及び行動記録の何れかを含む蓄積情報として記憶部に記憶させる記憶制御ステップと、
該記憶制御ステップにより記憶させる前記登録利用者情報を、前記登録利用者の携帯端末による通信又は前記登録利用者による前記入力部からの入力により取得する登録利用者情報取得ステップと、を有する請求項７に記載の前記コンピュータに実行させるプログラム。
【請求項９】
前記登録利用者情報取得ステップは、前記登録利用者情報を前記登録利用者の携帯端末による通信により所定期間経過毎に取得し又は登録利用者による前記入力部からの入力毎に取得し、前記記憶制御ステップは、前記取得された前記登録利用者情報を前記記憶部に記憶させて更新する請求項８に記載の前記コンピュータに実行させるプログラム。
【請求項１０】
前記検索結果提供ステップは、前記登録利用者情報との前記合致度を前記検索結果と共に表示部に表示する表示制御ステップを有する請求項７乃至９のいずれかに記載の前記コンピュータに実行させるプログラム。
【請求項１１】
前記合致度算出ステップは、前記合致情報検索ステップにより検索された前記検索結果が複数の登録利用者の登録利用者情報に合致するときは、前記複数の登録利用者情報との合致度を算出し、前記検索結果提供ステップは、前記合致度算出ステップにより算出された前記複数の登録利用者情報との前記合致度を前記検索結果と共に提供する請求項７乃至１０のいずれかに記載の前記コンピュータに実行させるプログラム。
【請求項１２】
前記合致度算出ステップは、前記検索結果と前記登録利用者情報との合致する度合いに応じて合致度を算出する請求項７乃至１１のいずれかに記載の前記コンピュータに実行させるプログラム。
【発明の詳細な説明】
【技術分野】
【０００１】
本発明は、入力部への検索入力に対して所定の登録利用者に関する登録利用者情報に合致する検索結果を提供する情報処理装置及び該情報処理装置での処理をコンピュータにて実行させるプログラムに関する。
【背景技術】
【０００２】
スマートフォン等の携帯端末やナビゲーション機器等の情報処理装置には、検索等において現在及び過去の操作履歴等から使用者のライフログや嗜好状況等をサーバー等で解析し、使用者の嗜好等に沿ったお勧め情報を検索結果として提供するものがある（例えば、特許文献１参照）。
【０００３】
上記特許文献１記載の親和度反映型ユーザレコメンド装置は、ＳＮＳ（ソーシャルネットワーキングサービス）などの人と人とのつながりを促進するサービスにおいて、イベント等と各ユーザとの親和度をユーザのプロフィール、アフィニティ、インテレストの各属性値とのマッチ度合いに基づいて算定し、各ユーザに適したイベント等のレコメンド情報を提供するものである。
【先行技術文献】
【特許文献】
【０００４】
【特許文献１】特開２０１４−７８１８２号公報
【発明の概要】
【発明が解決しようとする課題】
【０００５】
このような特許文献１に記載の親和度反映型ユーザレコメンド装置によれば、ユーザ毎に最適なイベント等のレコメンド情報を提供することができるが、提供を受ける情報処理装置を複数のユーザが使用するときは、表示部に表示されるレコメンド情報がどのユーザに提供されたかをその都度確認しなければならない。例えば、レコメンド情報の提供を受ける情報処理装置が車載機器である場合、当該レコメンド情報が乗員の何れに対するものであるかを運転者が確認することは運転操作上煩わしくかつ負担となり、利便性を欠くものとなる。
【０００６】
本発明は、このような事情に鑑みてなされたもので、検索結果としてレコメンド情報等の提供を受ける利用者が複数人の場合において、どの利用者に対して提供された情報であるかを容易に判断可能な情報処理装置及び当該情報処理装置での処理をコンピュータにて実行させるためのプログラムを提供するものである。
【課題を解決するための手段】
【０００７】
上記課題を解決するために、本発明に係る情報処理装置は、入力部への検索入力に対して所定の登録利用者に関する登録利用者情報に合致する検索結果を提供する情報処理装置であって、前記検索入力に対して前記登録利用者情報に合致する検索を行う合致情報検索手段と、該合致情報検索手段により検索された前記検索結果について、前記登録利用者情報との合致度を算出する合致度算出手段と、該合致度算出手段により算出された前記登録利用者情報との前記合致度を前記検索結果と共に提供する検索結果提供手段と、を有する構成となる。
【０００８】
このような構成によれば、登録利用者情報に合致する検索結果について登録利用者情報との合致度を算出して提供するので、提供された検索結果である情報がどの登録利用者情報と関連するのかをその度合いと共に容易に把握することができる。例えば、情報処理装置である車載機器において、周辺検索等を登録利用者である複数の乗員の何れかが行ったときに、登録利用者情報との合致度が提供されるので、検索結果が乗員の誰に提供されたものであるか、当該乗員の嗜好等にどの程度合致したものであるかを容易に把握することができる。したがって、運転者においても一見して検索結果及び該検索結果と登録利用者情報との合致度を把握できるので、運転に支障がない。
【０００９】
本発明に係る情報処理装置において、前記登録利用者情報を前記登録利用者の少なくとも嗜好及び行動記録の何れかを含む蓄積情報として記憶部に記憶させる記憶制御手段と、該記憶制御手段により記憶させる前記登録利用者情報を前記登録利用者の携帯端末による通信又は前記登録利用者による前記入力部からの入力により取得する登録利用者情報取得手段と、を有する構成とすることができる。
【００１０】
このような構成によれば、登録利用者情報を登録利用者の少なくとも嗜好及び行動記録の何れかを含む蓄積情報として記憶するので、提供する情報である検索結果が登録利用者に有効なものとなる。さらに、登録利用者情報を登録利用者の所持する携帯端末による通信又は登録利用者による入力部からの入力により取得するので、登録利用者情報が登録利用者の嗜好等に適合したものとなる。携帯端末との通信による登録利用者情報の取得としては、携帯端末から直接登録利用者情報を取得する場合、又は携帯端末が通信回線網で行うＳＮＳ等から登録利用者情報を取得する場合とがある。
【００１１】
本発明に係る情報処理装置において、前記登録利用者情報取得手段は、前記登録利用者情報を前記登録利用者の携帯端末による通信により所定期間経過毎に取得し又は登録利用者による前記入力部からの入力毎に取得し、前記記憶制御手段は、前記取得された前記登録利用者情報を前記記憶部に記憶させて更新する構成とすることができる。
【００１２】
このような構成によれば、登録利用者情報を所定期間経過毎又は入力部への入力毎に取得して更新するので、最新の登録利用者情報に合致した検索結果を提供することができる。
【００１３】
本発明に係る情報処理装置において、前記検索結果提供手段は、前記登録利用者情報との前記合致度を前記検索結果と共に表示部に表示する表示制御手段を有する構成とすることができる。
【００１４】
このような構成によれば、登録利用者情報との合致度を検索結果と共に表示部に表示させるので、提供された検索結果である情報がどの登録利用者情報と関連するのかを合致の度合いと共に視覚上容易に把握することができる。
【００１５】
本発明に係る情報処理装置において、前記合致度算出手段は、前記合致情報検索手段により検索された前記検索結果が複数の登録利用者の登録利用者情報に合致するときは、前記複数の登録利用者情報との合致度を算出し、前記検索結果提供手段は、前記合致度算出手段により算出された前記複数の登録利用者情報との前記合致度を前記検索結果と共に提供する構成とすることができる。
【００１６】
このような構成によれば、検索結果が複数の登録利用者の登録利用者情報に合致するときは、複数の登録利用者情報との合致度を算出し、複数の登録利用者情報と共に提供するので、検索結果の利用をより促進することができる。
【００１７】
本発明に係る情報処理装置において、前記合致度算出手段は、前記検索結果と前記登録利用者情報との合致する度合いに応じて合致度を算出する構成とすることができる。
【００１８】
このような構成によれば、合致する検索結果が複数あるときでも、登録利用者情報との合致する度合いに応じた合致度が算出されるので、登録利用者にとって検索結果をより有効に利用することができる。
【００１９】
更に、本発明に係る入力部への検索入力に対して所定の登録利用者に関する登録利用者情報に合致する検索結果を提供する情報処理装置での処理をコンピュータにて実行させるプログラムは、前記検索入力に対して前記登録利用者情報に合致する検索を行う合致情報検索ステップと、該合致情報検索ステップにより検索された合致する前記検索結果について、前記登録利用者情報との合致度を算出する合致度算出ステップと、該合致度算出ステップにより算出された前記登録利用者情報との前記合致度を前記検索結果と共に提供する検索結果提供ステップと、有する構成である。
【００２０】
また、本発明に係るコンピュータにて実行させるプログラムにおいて、前記登録利用者情報を、前記登録利用者の少なくとも嗜好及び行動記録の何れかを含む蓄積情報として記憶部に記憶させる記憶制御ステップと、該記憶制御ステップにより記憶させる前記登録利用者情報を、前記登録利用者の携帯端末による通信又は前記登録利用者による前記入力部からの入力により取得する登録利用者情報取得ステップと、を有する構成とすることができる。
【００２１】
また、本発明に係るコンピュータにて実行させるプログラムにおいて、前記登録利用者情報取得ステップは、前記登録利用者情報を前記登録利用者の携帯端末による通信により所定期間経過毎に取得し又は登録利用者による前記入力部からの入力毎に取得し、前記記憶制御ステップは、前記取得された前記登録利用者情報を前記記憶部に記憶させて更新する構成とすることができる。
【００２２】
また、本発明に係るコンピュータにて実行させるプログラムにおいて、前記検索結果提供ステップは、前記登録利用者情報との前記合致度を前記検索結果と共に表示部に表示する表示制御ステップを有する構成とすることができる。
【００２３】
また、本発明に係るコンピュータにて実行させるプログラムにおいて、前記合致度算出ステップは、前記合致情報検索ステップにより検索された前記検索結果が複数の登録利用者の登録利用者情報に合致するときは、前記複数の登録利用者情報との合致度を算出し、前記検索結果提供ステップは、前記合致度算出ステップにより算出された前記複数の登録利用者情報との前記合致度を前記検索結果と共に提供する構成とすることができる。
【００２４】
更にまた、本発明に係るコンピュータにて実行させるプログラムにおいて、前記合致度算出ステップは、前記検索結果と前記登録利用者情報との合致する度合いに応じて合致度を算出する構成とすることができる。
【発明の効果】
【００２５】
本発明によれば、登録利用者情報に合致する検索結果について登録利用者情報との合致度を算出して提供するので、提供された検索結果がどの登録利用者情報と合致するのかをその合致する度合いと共に容易に把握することができる。
【図面の簡単な説明】
【００２６】
【図１】図１は本発明の実施の形態に係る情報処理装置（車載機器）の構成を示すブロック図である。
【図２】図２は本発明の実施の形態に係る情報処理装置の処理ユニットによる処理手順を示すフローチャートである。
【図３】図３は図１の情報処理装置を利用する登録利用者（車両の乗員）の嗜好、行動記録等に基づく登録利用者情報の一覧概略図である。
【図４】図４は情報処理装置の表示部の画面に表示された検索結果と合致度を示す画面概略図である（その１）。
【図５】図５は情報処理装置の表示部の画面に表示された検索結果と合致度を示す画面概略図である（その２）。
【図６】図６は情報処理装置の表示部の画面に表示された検索結果と合致度を示す画面概略図である（その３）。
【発明を実施するための形態】
【００２７】
本発明の実施の形態について図面を用いて説明する。
【００２８】
本発明の実施の形態に係る情報処理装置１１は、車載機器として車両に搭載されるナビゲーション機能を備えた装置に適用されており、その構成を図１に示す。図１において、情報処理装置１１は、車両（不図示）に乗車する乗員（車両所有者本人、その妻、その息子及び娘）がそれぞれ所持するスマートフォン１２（１２ａ、１２ｂ、１２ｃ、１２ｄ）と近距離無線通信（例えば、ＷｉＦｉ、Ｂｌｕｅｔｏｏｔｈ（登録商標））により接続される。
【００２９】
情報処理装置１１は、コンピュータユニット１３（例えば、ＣＰＵ、ＲＡＭ、ＲＯＭ、Ｉ／Ｏインターフェース及びバス等）により構成される処理ユニット１３を有する。処理ユニット１３には、各種音源及び映像源（例えば、ＣＤ及びＤＶＤ）の再生処理が可能なＡＶユニット１５及び自車両のナビゲーションが可能なナビゲーションユニット１７が接続されている。また、処理ユニット１３には、スピーカ１８が出力回路１９を介して接続されている。これによって、ＡＶユニット１５及びナビゲーションユニット１７による処理に係る音声信号について出力回路１９を介して音声としてスピーカ１８から出力することが可能となっている。また、後述する検索結果等を画像表示の他に音声としてスピーカ１８から出力することが可能となる。加えて、処理ユニット１３には、ＡＶユニット１５及びナビゲーションユニット１７において利用する楽曲情報及び地図情報等の各種情報を記憶可能な記憶部２０（例えば、ハードディスク、フラッシュメモリ）と、ＬＣＤ等によって構成される各種処理に伴う映像等を表示する表示部２１と、表示部１３上にタッチパネル形式にて形成される各種処理に必要な指示が入力可能な操作部２１とが接続されている。なお、操作部２１としては上記タッチパネル形式のほかハードキー等の入力機器とすること又はこれと併用することも可能である。また、上記記憶部２０には後述する処理ユニット１３による検索実行のための各種プログラム（登録利用者情報との合致度算出のプログラム等を含む）が記憶されており、表示部１３には検索結果が表示され、操作部２１からは検索用のキーワード、登録利用者情報等の入力をすることができる。
【００３０】
さらに、処理ユニット１３には、上述したようにスマートフォン１２（１２ａ、１２ｂ、１２ｃ、１２ｄ）等と近距離無線通信を行うための通信部２５（アンテナ、通信回路等を含む）が接続されている。これにより、スマートフォン１２との間で情報の送受信が可能となり、例えばスマートフォン１２を所持する登録利用者の車両への乗車が確認可能となり、さらにスマートフォン１２に記憶される登録利用者情報を記憶部２０に記憶させることも可能となる。
【００３１】
上記した構成の情報処理装置１１では、以下に説明するように、図２に示す手順にて処理ユニット１３による処理がなされる。説明上の例示として、車両（不図示）には運転席に○山太郎、助手席にその妻○山花子、後部席に息子○山次郎と娘○山夏子の合計４名が乗車する（図３参照）。乗車後に車載機器である情報処理装置１１を作動させると、情報処理装置１１の処理ユニット１３は乗員の検出を行う。乗員の検出は、処理ユニット１３が通信部２５を介して乗員の所持するスマートフォン１２（１２ａ、１２ｂ、１２ｃ、１２ｄ）との通信により行われる。処理ユニット１３は、スマートフォン１２の所持者が情報処理装置１１の既に登録利用者情報に登録されているときに（図３参照）、検出した乗員名等を表示部２１に表示する（Ｓ１１）。これにより、検出・表示された乗員は情報処理装置１１の登録利用者として自己の嗜好等に合致する検索結果の提供を受けることができる。
【００３２】
図３に示すように、記憶部２０に記憶される登録利用者情報には、登録利用者名とその性別、年齢、職業等、登録利用者が所持するスマホ等の携帯端末のＩＤ情報等、趣味、好きな飲食物、好きなラジオ・ＴＶ番組等、好きな音楽（ジャンル）、好きな歌手、習い事等の各種情報が記録されている。登録利用者情報は、上記内容に限定されるものでなく、登録利用者が任意に設定することができる。登録利用者情報は、登録利用者として登録する際に直接操作部２３から各種情報を入力することができるが、入力情報処理装置１１へ登録利用者として自己の所持するスマートフォン等のＩＤ情報を登録すると、例えばネットワークのＳＮＳから登録利用者情報を取得することができる。したがって、登録時にスマートフォンのＩＤ等の情報を入力した後に、情報処理装置１１の処理ユニット１３が通信部２５等を介してＳＮＳ等から追加の情報を取得して追加、更新等を行うことができる。ＳＮＳ等から取得する情報としては、例えば登録利用者の利用する飲食店、施設等の名称、視聴する音楽等の各種内容・履歴等が該当する。
【００３３】
図３に示す登録利用者情報には、趣味、好きな飲食物のように登録利用者の対象となる嗜好物等と、その嗜好等の度合いを示すＡ、Ｂ、Ｃの３段階の表示が含まれている。この３段階の表示は、例えば嗜好の度合いをＡ（とても好き）＞Ｂ（かなり好き）＞Ｃ（好き）と左から高い順に示すもので、登録時に本人が直接入力することができるが、上述したようにＳＮＳ等において頻出度の高いものを所定の割合で３段階表示することができる。例えば、１週間での頻出度が１０回以上をＡ、５回以上をＢ、４回以下をＣとすることができる。上記した３段階表示を直接入力のみとすることも、ＳＮＳ等からの情報取得によるものとするか等は選択可能である。例えば、○山太郎が利用者として情報処理装置１１に登録する際に、好きなラジオ・ＴＶ番組として「野球中継」を入力し、併せてその嗜好度を「Ｂ」と入力し、その後のＳＮＳ等からの情報取得による更新を許容しているときに、野球中継の視聴回数、ＳＮＳ等での話題数等がＡランクとして設定した範囲に含まれるときは、「野球中継」の嗜好度が「Ａ」ランクに更新（変更）される。同様に、好きな音楽、好きな歌手、好きな飲食物等についても、所定期間毎に操作履歴、ＳＮＳ等から得た情報により、嗜好等の対象及びその嗜好度（設定された範囲等に基づく）が更新される。なお、上述したように、登録利用者情報の内容については、操作部２３からの入力にのみ基づくとの設定によるときは、更新も操作部２３からの入力操作のみによる。さらに、上記した３段階以外の複数段階表示とすることもできる。
【００３４】
図２に示すように、処理ユニット１３は、車両に乗車した４人の所持するスマートフォン１２ａ〜１２ｄとの通信により各ＩＤ情報を取得し、４人が登録利用者情報の登録利用者であると判定したときに、表示部２１に合致度を伴う検索が可能な登録利用者として表示する（Ｓ１１：表示制御手段）。ところで、４人のうちの一人、例えば○山太郎のスマートフォン１２ａが電源ＯＦＦ等で情報処理装置１１との通信不能のときは、処理ユニット１３は○山太郎以外の３人を登録利用者として表示部２１に表示する。
【００３５】
処理ユニット１３は、検出した登録利用者が表示部２１に表示した氏名の者であるか否かを求める（Ｓ１２）。上記したように、表示部２１には○山太郎を除く３人の氏名等が表示されているので、○山太郎の表示がないときは「ＮＯ」を示す欄をタッチすることで（Ｓ１２のＮＯ）、修正入力画面が表示される（Ｓ１３）。修正入力画面が表示されたときに、操作部２３から○山太郎のＩＤ情報等を入力することで登録利用者となり、画面に追加表示される。なお、○山太郎のＩＤ情報等の操作部２３からの入力に替えて、○山太郎のスマートフォン１２ａを作動させて情報処理装置１１と通信可能な状態にすれば、情報処理装置１１がスマートフォン１２ａから○山太郎のＩＤ情報を取得し、登録利用者として追加表示することができる。
【００３６】
処理ユニット１３は、表示部２１への登録利用者の表示に対して認容の入力があったとき（Ｓ１２のＹＥＳ）、又は否認の入力（Ｓ１２のＮＯ）後に修正又は追加入力があったときは（Ｓ１３）、現在の登録利用者情報を表示して、修正無し又は有りの問い合わせを表示する（Ｓ１４）。例えば、登録利用者の○山花子は当初入力した趣味「園芸」（嗜好度Ｂ）について、現在の趣味が「ダンス」（嗜好度Ａ）に変更することができる。また、登録利用者の○山夏子は当初好きな飲食物として「イタリアン」（嗜好度Ａ）と入力していたが、その後のＳＮＳ等からの情報取得により情報処理装置１１において頻出度の高い「寿司」（嗜好度Ａ）に変更されていたときに、もとの「イタリアン」（嗜好度Ａ）に戻すことができる。現在の登録利用者情報に修正有りのときは（Ｓ１４のＮＯ）、その旨を入力することで、操作部２３から登録利用者情報の修正入力を行うことができる（Ｓ１５）。
【００３７】
処理ユニット１３は、登録利用者情報への修正が無しの応答入力された後（Ｓ１４のＹＥＳ）、又は登録利用者情報への修正有りの応答入力があり（Ｓ１４のＮＯ）、その修正入力がなされた後（Ｓ１５）、検索キーワード等の入力により検索を開始する（Ｓ１６）。
【００３８】
本実施形態の検索の一例として飲食店の周辺検索について以下に説明する。走行途中に食事時間となり、「飲食店」のキーワードを入力して周辺検索を行うと（Ｓ１６）、処理ユニット１３は、上記した登録利用者である４名の登録利用者情報（図３参照）の好きな飲食物のリストに合致する飲食店の周辺検索を行う（Ｓ１７：合致情報検索手段）。このとき登録利用者情報と合致する飲食店の検索結果について、併せて登録利用者情報との合致度を算出する（Ｓ１８：合致度算出手段）。そして、処理ユニット１３は、検索結果の表示の際に登録利用者情報との合致度も併せて提供、表示する（Ｓ１９：検索結果提供手段、表示制御手段）。これにより、表示された検索結果が利用者登録情報に合致したものであり、かつ誰にどの程度合致したものであるかの情報を併せて提供されるので、登録利用者にとって利便性の高い検索結果となる。
【００３９】
具体的には、登録利用者情報に記憶される上記４人の好きな飲食物の情報を基にして「飲食店」についての周辺検索をおこなったところ、「ＫＫ屋（和食・寿司）」、「ローマ亭（ピザ・パスタ）」及び「ＰＰ店（寿司）」が検索結果としてヒットした。「ＫＫ屋（和食・寿司）」については、○山花子が「和食Ａ」、○山夏子が「寿司Ａ」として登録されているので、合致度が２個の「Ａ」となる。「ローマ亭（ピザ・パスタ）」については、○山太郎が「ピザＢ」、○山次郎が「パスタＡ」として登録されているので、合致度が１個「Ａ」と１個「Ｂ」となる。さらに「ＰＰ店（寿司）」については、○山夏子が「寿司Ａ」として登録されているので合致度が１個の「Ａ」となる。
【００４０】
図４に示すように、周辺検索の検索結果が合致度と共に表示部２１の画面上に表示される。検索結果は合致度の高い順に上から表示される。上述したように、最上位には合致度が一番高い、２個「Ａ」の「ＫＫ屋（和食・寿司）」が表示される。このとき、どの登録利用者情報に合致したのかを一見で判断できるように、○山花子を趣味の園芸から「チューリップの花の図」の絵文字で、○山夏子を趣味の読書から「本の外形斜視図」の絵文字示している。そして、合致度「Ａ」を表すために、「チューリップの花の図」の絵文字を３個、「本の外形斜視図」の絵文字を３個それぞれ表示している。また上から２段目には２番目に高い合致となる、合致度が１個の「Ａ」と１個の「Ｂ」の「ローマ亭（ピザ・パスタ）」が、合致する登録利用者情報の○山次郎の趣味である「サッカーボール」の絵文字で示し（合致度Ａのため３個の絵文字）、同じく○山太郎の趣味である「野球ボール」の絵文字で表示されている（合致度Ｂのため２個の絵文字）。さらに上から３段目には３番目に高い合致度となる、合致度が１個の「Ａ」の「ＰＰ店（寿司）」が、合致する登録利用者情報の○山夏子の趣味を示す「本の外形斜視図」の絵文字で表示されている（合致度Ａのため３個の絵文字）。これにより、検索結果が誰にどの程度の合致度であるかを一見して容易に認識できるので、運転者の○山太郎も運転操作の支障とならずに認識することができるので、検索結果の利用を有効に活用することができる。また、上記周辺検索の検索結果には、表示部２１の画面の一部には当該施設（店舗）の位置を示す地図が表示されるので、より一層の有効活用ができる。
【００４１】
また、図４の検索結果の表示に替えて、図６に示す表示とすることができる。Ａ、Ｂ、Ｃの３段階で示す合致度を３個の直径が異なる同心円（破線で示す）と楔形で表示したものである。そして誰の利用者登録情報に合致するかを示すために、４名を同心円の中心から放射状異なる向きに表示したものである。図６に示すように、合致度が一番高い、最上段に示した「ＫＫ屋（和食・寿司）」については、花子及び夏子がいずれも合致度「Ａ」であるから、同心円の中心から花子及び夏子の方向に向けて円Ａの外周まで楔形を示したものである。これにより、「ＫＫ屋（和食・寿司）」は花子に合致度Ａ、夏子に合致度Ａであることが容易に認識できる。なお、図６では、４名をそれぞれ「太郎」「花子」「次郎」「夏子」と表示したが、図４に示すように各人を示す絵文字で表示しても良い。上記同様に、２段目の「ローマ亭（ピザ。パスタ）」については、太郎が合致度Ｂであるから中心から円Ｂの外周まで太郎の方向に楔形を示し、次郎が合致度Ａであるから中心から円Ａの外周まで次郎の方向に楔形が示されている。上から３段目の「ＰＰ店（寿司）」については、夏子が合致度Ａであるから中心から円Ａの外周まで夏子の方向に楔形が示されている。このように表示することで、検索結果が誰にどの程度の合致度であるか容易に認識できるので、従来と比べて画面上で検索結果の内容を確認するのが容易であることがわかる。
【００４２】
次に図５を参照して、走行中に花子が音楽情報の選曲検索を行った検索結果を説明する。選曲のキーワードとして音楽ジャンルが「ポップス」、歌手が「○○Ｍ子」を入力したところ、検索結果として合致度の高い順に、（１）「海の・・・（曲名：ポップス系）：○○Ｍ子」、（２）「○と雪の王様（曲名：アニメ音楽）：○○Ｍ子」、（３）「青春・・賛歌（曲名：ポップス系）：○○Ｐ子」がそれぞれヒットした。（１）の楽曲は、花子の好きな音楽及び歌手でそれぞれ合致度が「Ａ」であるから（２個のＡ）、花子を示す「チューリップの花の図」の絵文字が３×２＝６個表示される。（２）の楽曲については、花子の好きな歌手の合致度がＡ（１個のＡ）、夏子の好きな音楽で合致度Ｂであるから（１個のＢ）、「チューリップの花の図」の絵文字が３個、「本の外形斜視図」の絵文字が２個表示される。（３）の楽曲については、花子の好きな音楽で合致度Ａ（１個のＡ），次郎の好きな歌手で合致度Ｃであるから（１個のＣ）、「チューリップの花の図」の絵文字が３個、「サッカーボール」の絵文字が１個表示される。このように、検索された曲名のジャンルと歌手との合致度が誰に対してのものか、表示された画面上で容易に認識できるので、例えば運転者も運転操作に支障なく認識し、利用することができる。この場合も、絵文字による表示に替えて、図６に示すように、Ａ、Ｂ、Ｃの３段階で示す合致度を３個の直径が異なる同心円と楔形で表示することができる。
【００４３】
処理ユニット１３は、検索結果の表示の際に登録利用者情報との合致度も併せて提供、表示した後（Ｓ１９：検索結果提供手段、表示制御手段）、登録利用者の選択操作により所定の検索結果を提供する（Ｓ２０）。処理ユニット１３は、その後、登録利用者による検索の終了の操作がなされたときに終了し（Ｓ２１のＹＥＳ）、再度検索入力がされたときは上記同様に登録利用者情報と検索キーワード等の合致度を算出して、検索結果と共に提供、表示する。
【００４４】
上述したように、本実施形態によれば、検索結果と共に登録利用者情報との合致度を併せて表示するので、誰に対してどの程度合致度の検索結果であるかを一見して認識することができるので、検索結果について誰の嗜好等に合致するか、どの程度の合致度かの判断の手間を要しない。そのため、検索結果を迅速かつ有効に利用することができる。なお、本実施形態では、情報処理装置としてナビゲーション機能を備えた車載機器に適用したが、これに限定するものではない。例えば、情報処理装置として携帯端末に適用することができ、さらに無線回線等によりサーバーと接続して検索と、検索結果と登録利用者情報との合致度の算出をサーバーで行うこともできる。また、上記では登録利用者情報と合致する検索結果を合致度と共に提供するが、登録利用者情報に合致するものに限定せずに、検索キーワードに基づく検索結果も提供することできる。なお、合致度の度合いを各登録利用者情報を示す絵文字の個数で表示したが、利用者名と複数段階の線分の長さで合致度を示しても良い。
【産業上の利用可能性】
【００４５】
以上、説明したように、本発明に係る情報処理装置は、登録利用者情報に合致する検索結果について登録利用者情報との合致度を算出して提供するので、提供された検索結果である情報がどの登録利用者情報と関連するのかをその度合いと共に容易に把握することができるという効果を奏し、入力部への検索入力に対して所定の登録利用者に関する利用者情報に合致する検索結果を提供する情報処理装置として有用である。
【符号の説明】
【００４６】
１１    情報処理装置（車載機器）
１２（１２ａ、１２ｂ、１２ｃ、１２ｄ）    スマートフォン
１３    処理ユニット
１５    ＡＶユニット
１７    ナビゲーションユニット
１８    スピーカ
１９    出力回路
２０    記憶部
２１    表示部
２３    操作部
２５    通信部
【図１】
2016207009.tif 000003
【図２】
2016207009.tif 000004
【図３】
2016207009.tif 000005
【図４】
2016207009.tif 000006
【図５】
2016207009.tif 000007
【図６】
2016207009.tif 000008